(57)【要約】【課題】  フットレストを持ち上げた状態でもリラックスしてマッサージを受けることができ、またフットレストから降りる際に踏ん張りが利く椅子式マッサージ機を提供する。【解決手段】  フットレスト４のかかとを受けるかかと受面２３とつま先を受けるつま先受面２４は、かかと受面をつま先受面に対して高くすると共に、かかと受面とつま先受面の間を、傾斜面２５とする。傾斜面は、フットレストのふくらはぎを受ける面１８に対して、略１００度〜１３０度の角度Ａをなす傾斜面とする。【効果】フットレストを持ち上げた状態にしても足先が反り返るようなことなく、リラックスできる。またフットレストから降りる際には、かかと受面とつま先受面によって踏ん張りを利かすことができる。【選択図】    図２
2008086580.tif 000002
【特許請求の範囲】
【請求項１】
被施療者が腰掛ける座部の前端に、ふくらはぎ及び足先を収容するフットレストを回動自在に連結し、フットレストにはふくらはぎ及び／又は足先にマッサージを施すマッサージ手段を具えた椅子式マッサージ機において、
フットレストのかかとを受けるかかと受面とつま先を受けるつま先受面は、かかと受面をつま先受面に対して高くすると共に、かかと受面とつま先受面の間を、傾斜面としたことを特徴とする椅子式マッサージ機。
【請求項２】
前記傾斜面は、フットレストのふくらはぎを受ける面に対して、略１００度〜１３０度の角度をなす傾斜面とした請求項１に記載の椅子式マッサージ機。
【請求項３】
前記かかと受面上とつま先受面上の少なくとも一方には、かかと又はつま先を押圧する膨張収縮するエアバグを配備し、前記傾斜面の裏側には、傾斜面より突出して足裏を刺激する指圧棒を配備してなる請求項１又は請求項２に記載の椅子式マッサージ機。
【発明の詳細な説明】
【技術分野】
【０００１】
本発明は、被施療者が腰掛ける座部の前端に、ふくらはぎ及び足先（くるぶしより先の部分）を収容するフットレストを回動自在に連結し、フットレストにはふくらはぎ及び／又は足先にマッサージを施すマッサージ手段を具えた椅子式マッサージ機に関する。
【背景技術】
【０００２】
従来、座部の前端に、ふくらはぎ及び足先を収容するフットレストを回動自在に連結して、ふくらはぎや足先にマッサージを施すものとして、特許文献１に記載のものが知られている。フットレストは、座部に対し略垂直に降りた状態から座部とほぼ同じ高さまで持ち上げられた状態までの間の任意の角度で位置決めして使用できるようになっている。
【特許文献１】特開２００２−６５７８６号公報
【発明の開示】
【発明が解決しようとする課題】
【０００３】
しかしながら従来のものでは、フットレストの足裏を受ける面は、ふくらはぎを受ける面に対して略直角な面となっている。人の足は力を入れない自然な状態（椅子に腰掛けて足をぶらぶらさせた状態）では、つま先側がかかと側に比べ下がった状態にあるので、フットレストの足裏を受ける面が、ふくらはぎを受ける面に対して略直角な面になっていると、フットレストを持ち上げていくに従い、自然な状態に反して足先が反り返るようになり、窮屈でリラックスできない。
【０００４】
そこで、フットレストの足裏を受ける面を、ふくらはぎを受ける面に対して直角よりも大きな角度の傾斜面にして、つま先側を低くすることが考えられるが、傾斜面にすると、フットレストを座部に対して略垂直に降りた状態にしてフットレストから降りる際に、踏ん張りが利きにくく滑りやすいという問題がある。  
【０００５】
本発明の目的は、フットレストを持ち上げた状態でもリラックスしてマッサージを受けることができると共に、フットレストから降りる際に踏ん張りが利く椅子式マッサージ機を提供することである。
【課題を解決するための手段】
【０００６】
上記課題を解決するために本発明の椅子式マッサージ機は、
被施療者が腰掛ける座部の前端に、ふくらはぎ及び足先を収容するフットレストを回動自在に連結し、フットレストにはふくらはぎ及び／又は足先にマッサージを施すマッサージ手段を具えた椅子式マッサージ機において、
フットレストのかかとを受けるかかと受面とつま先を受けるつま先受面は、かかと受面をつま先受面に対して高くすると共に、かかと受面とつま先受面の間を、傾斜面としたものである。
【０００７】
ここで傾斜面は、フットレストのふくらはぎを受ける面に対して、略１００度〜１３０度の角度をなす傾斜面とするのが好ましい。
【発明の効果】
【０００８】
本発明によれば、フットレストのかかとを受けるかかと受面とつま先を受けるつま先受面は、かかと受面をつま先受面に対して高くすると共に、かかと受面とつま先受面の間を傾斜面としたので、フットレストを持ち上げた状態にしても足先が反り返るようなことはなく、自然に近い状態に保つことができるので、リラックスしてマッサージを受けることができる。
【０００９】
またフットレストから降りる際には、かかと受面とつま先受面によって踏ん張りを利かすことができ、滑り防止となる。
【００１０】
また傾斜面の角度を、フットレストのふくらはぎを受ける面に対して、略１００度〜１３０度の角度をなす傾斜面とすれば、フットレストの足裏を受ける面が、自然な状態の足裏の形状に似た形状になるので、より好ましい。
【発明を実施するための最良の形態】
【００１１】
以下、本発明の椅子式マッサージ機について図に基づき説明する。図１は椅子式マッサージ機の斜め前方から見た斜視図で、マッサージ機１は、座部２と、座部２の後方に起倒自在に取り付けられた背もたれ部３と、座部２の前端に回動自在に取り付けられたフットレスト４と、座部２の左右両側に立設された肘当て部５を具える。座部２には、圧縮空気の供給、排出により膨張、収縮するエアバッグ（図示せず）から構成されるマッサージ手段が内蔵され、背もたれ部３には、一対の施療指により叩きや揉みを行なう周知のマッサージ手段（図示せず）が背もたれ部に沿って昇降自在に設けられている。
【００１２】
座部２に坐った人から見て右側の肘当て部５の外側面より、屈曲自在な支柱６が立設されている。この支柱６の先端には、操作リモコン受台７が設けられ、この操作リモコン受台７に、マッサージ機１の動作を操作するための操作リモコン８が着脱自在に設置される。操作リモコン８を使用する際は、受台７より外して使用する。支柱６の中ほどには補助受台１１が装着され、この受台１１に補助リモコン１０が着脱自在に設置される。この補助リモコン１０は、背もたれ部３を起倒操作するスイッチや、マッサージ中の脈拍等の生体情報を検知する検知部を具えたものである。
【００１３】
フットレスト４は、ふくらはぎ及び足先（くるぶしより先の部分）を収容する前方及び上方が開放した凹部１２を左右一対有する樹脂製カバー１３と、樹脂製カバー１３を取り付けたフットレストフレーム１４等から構成されるもので、フットレストフレーム１４の上端が、座部２の前端に軸１５にて回動自在に連結されている。フットレスト４は、図示しないリクライニング機構により、座部２に対してほぼ垂直に降りた状態（図１及び図２）から、図３の状態を経由して、座部２とほぼ同じ高さまで持ち上げられた状態（図４）まで回動され、この間の任意の位置で位置決めして使用できる。
【００１４】
前記凹部１２の左右の側面には、圧縮空気の供給、排出により膨張、収縮するエアバッグ１６、１７が配備されている。かかるエアバッグ１６、１７の膨張により、ふくらはぎや足先を側面から押圧してマッサージを行なう。
【００１５】
また凹部１２の底面のふくらはぎが当る面１８には、突部１９を有するエアバッグ２０が上下に２個配備されている。圧縮空気の供給、排出によりエアバッグ２０を膨張、収縮し、膨張により、突部１９をふくらはぎの裏面に押し付けて、押圧マッサージを行なう。
【００１６】
また凹部２０の足首を囲む部分には、足首をその裏側から両側にかけて抱いて足首を掴み揉みするエアバッグ２１が配備されている。エアバッグ２１は、凹部１２の下部の左右両側面から底面を経由して設けられ、圧縮空気の供給、排出により膨張、収縮して足首を掴み揉みする。
【００１７】
フットレスト４の凹部１２の足先を受ける底面２２は、図２に示すように、ほぼ水平なかかとを受けるかかと受面２３とつま先を受けるつま先受面２４を有し、かかと受面２３がつま先受面２４より一段高くなっており、両受面２３、２４の間は、傾斜面２５となっている。この傾斜面２５は、凹部１２のふくらはぎの裏面を受ける面１８に対して、略１００度〜１３０度の角度Ａをなしている。このような形状にすることにより、底面２２は足先の自然な状態（椅子に腰掛けて足をぶらぶらさせた時のように力を入れない状態）に近い形状となっている。
【００１８】
かかと受面２３上には、膨張することによりかかとを押圧するエアバッグ２６が配備され、つま先受面２４上には、膨張することによりつま先を押圧するエアバッグ２７が配備されている。つま先を押圧するエアバッグ２７には、押圧効果を向上させるために突部２８が形成されている。また傾斜面２５には、図示しない穴が形成され、傾斜面２５の裏側には、指圧棒２９が前記穴より凹部１２内へ出没可能に配備されている。この指圧棒２９は、図示しないエアバッグにより出没動作され、エアバッグの膨張により、凹部１２内へ突出し、エアバッグの収縮により傾斜面２５の裏側へ引っ込むものである。傾斜面２５は丁度足裏の土踏まずの位置に相当し、指圧棒２９の突出により土踏まずに指圧を施す。
【００１９】
上記エアバッグ１６、１７、２０、２１、２６、２７及び指圧棒２９がふくらはぎや足先にマッサージを施すマッサージ手段となる。エアバッグ１６、１７は、図２にのみ破線で示している。これらのマッサージ手段は凹部１２に張られた布カバーにより覆われている。
【００２０】
かかる構成において、フットレスト４の凹部１２に脚Ｌ（足先とふくらはぎを総称していう）を入れ、マッサージ手段によりマッサージを行うが、フットレスト４が図２のように座部２に対して略垂直に降りた状態から、図３を経由して、図４のように座部２とほぼ同じ高さまで持ち上げられた状態のいずれの状態でも、足先を受ける凹部の底面２２の形状が、上記の如く、足先の自然な状態に近い形状になっているので、足先を自然な状態のまま保持できる。
【００２１】
特に図４のようにフットレスト４を座部２とほぼ同じ高さまで持ち上げた状態においても、足先を反り返えらせるような力は作用せず、リラックスした状態でマッサージを受けることができる。
【００２２】
またマッサージを終了してフットレスト４から降りる際は、図２のようにフットレスト４を座部２に対して略垂直に降りた状態にするが、この時、かかと受面２３とつま先受面２４が略水平なので、かかと受面２３とつま先受面２４によって踏ん張りを利かすことができ、滑り防止となる。
【００２３】
また足裏を押圧するマッサージ手段として、エアバッグ２６、２７と指圧棒２９を用いているが、傾斜面２５にはエアバッグを配備しにくいので、指圧棒２９を配備し、足の疲労を除くのに効果的である土踏まずに、指圧棒２９によってより強い刺激を与えることができるようにしている。
【００２４】
以上の実施例では、凹部１２には、ふくらはぎと足先の両方にマッサージを施すマッサージ手段を配備しているが、マッサージ手段は、ふくらはぎと足先のどちらか一方に対して少なくともあればよい。またかかと受面２３とつま先受面２４の両方にエアバッグ２６、２７を配備しているが、どちらか一方でもかまわないし、なくてもよい。マッサージ手段の形態は、エアバッグに限定されることはない。
【図面の簡単な説明】
【００２５】
【図１】本発明の椅子式マッサージ機の斜視図で、フットレストの一部を切り欠いて示している。
【図２】同マッサージ機のフットレストの側面図で、座部に対して略垂直に降りた状態を示す。
【図３】同フットレストの側面図で、少し持ち上げられた状態を示す。
【図４】同フットレストの側面図で、座部の高さとほぼ同じ高さまで持ち上げられた状態を示す。
【符号の説明】
【００２６】
２    座部
４    フットレスト
１２  凹部
２３  かかと受面
２４  つま先受面
２５  傾斜面
２６  エアバッグ
２７  エアバッグ
２９  指圧棒
【図１】
2008086580.tif 000003
【図２】
2008086580.tif 000004
【図３】
2008086580.tif 000005
【図４】
2008086580.tif 000006